(57)【特許請求の範囲】
【請求項１】
胴部（１）の両側壁部分（２）のそれぞれに、指当て用の凹部（３）を対向させて形成し、該両凹部（３）と、該両凹部（３）の間の背壁部分（１０）とでグリップ部（１２）を形成する、合成樹脂製のピンチグリップ式ボトル型容器において、
前記グリップ部（１２）を把持した手の指先の腹が押付けられる、前記両凹部（３）の各凹部側面（４）に、突出高さの低い滑り止め突片（７）を縦突条状にそれぞれ設けると共に、
前記両凹部（３）を、それぞれ横断する二、三の補強リブ（８）で上下に区画し、前記滑り止め突片（７）を分断して前記区画された各凹部（３）部分別に設けたことを特徴とするピンチグリップ式ボトル型容器。
【請求項２】
区画された各凹部（３）の凹部底部（５）に、小突部（９）をそれぞれ形成した請求項１記載のピンチグリップ式ボトル型容器。
【請求項３】
凹部（３）の上側の端面である凹部上端面（６）を、凹部底面（５）に対して略直角に形成した請求項１又は２記載のピンチグリップ式ボトル型容器。
【発明の詳細な説明】
【技術分野】
【０００１】
本発明は、グリップ（把手）機能部付き大型合成樹脂製ボトル型容器の内、胴部の両側壁部分に凹部を対向形成することにより、グリップ機能部を一体形成したピンチグリップ式ボトル型容器に関するものである。
【背景技術】
【０００２】
グリップ機能部付き大型合成樹脂製ボトル型容器の従来技術として、予め別途に成形した把手体を容器本体に取付ける構成のボトル型容器とは別に、胴部の両側壁部分に、略円形形状の凹部を３個連ねて構成されたグリップ機能部を一体に形成したピンチグリップ式ボトル型容器がある。
【特許文献１】特開平０５−１２４６４１号公報
【０００３】
この上記したピンチグリップ式ボトル型容器の従来技術は、別途に成形した把手体を容器本体に取付ける構成のボトル型容器に比べて、製造コストの低減化、製造工程の簡素化、さらには消費樹脂材料の省資源化の点から、多くの利点がある。
【発明の開示】
【発明が解決しようとする課題】
【０００４】
しかしながら、上記したピンチグリップ式ボトル型容器の従来技術にあっては、表面の滑らかで滑り易い合成樹脂製ボトル型容器の表面に、円形凹部を陥没形成しただけでグリップ機能部を構成しているので、このグリップ機能部に滑りが発生し易く、このためボトル型容器の把持しての取扱い時に、指先に大きな力を入れる必要があり、このため片手での取扱いが必ずしも容易ではない、と云う問題があった。
【０００５】
また、合成樹脂製ボトル型容器は、消費樹脂材料の省資源化の促進により、グリップ機能部を形成した胴部の壁厚が小さくなっているので、その分、外力の作用により、グリップ機能部が撓み変形し易くなっており、このためグリップ機能部を把持する手の指先に力を加え難く、ボトル型容器の安定した把持取扱いが得難い、と云う問題があった。
【０００６】
そこで、本発明は、上記した従来技術における問題点を解消すべく創案されたもので、合成樹脂製容器であるピンチグリップ式ボトル型容器のグリップ機能部と、このグリップ機能部を把持する手との間の滑り易さを抑制することを技術的課題とし、もってピンチグリップ式ボトル型容器の把持しての取扱いを、安定したものとすることを目的とする。
【課題を解決するための手段】
【０００７】
上記技術的課題を解決する本発明の内、請求項１記載の発明の手段は、
胴部の両側壁部分のそれぞれに、指当て用の凹部を対向させて形成し、この両凹部と、両凹部の間の背壁部分とでグリップ部を形成する、合成樹脂製のピンチグリップ式ボトル型容器に関するものであること、
グリップ部を把持した手の指先の腹が押付けられる、両凹部の各凹部側面に、突出高さの低い滑り止め突片を縦突条状にそれぞれ設けると共に、
両凹部を、それぞれ横断する二、三の補強リブで上下に区画し、滑り止め突片を分断して区画された各凹部部分別に設けたこと、
にある。
【０００８】
この請求項１記載の発明においては、胴部の両側壁部分のそれぞれに、凹部を対向形成してグリップ部を形成しているので、このグリップ部を把持する手は、凹部内に侵入させた指先の腹を、凹部の後側、すなわち背壁部分側の凹部側面に押付けることになる。
【０００９】
このグリップ部を把持する手の指先の腹が押付けられる凹部側面には、突出高さの低い滑り止め突片が突設されているので、グリップ部を把持している手の指先の腹には、この滑り止め突片が食い込む状態となり、これにより指先の腹と凹部側面との間の滑り易さは大幅に抑制される、すなわち把持する手とグリップ部との間の滑り易さは、大幅に抑制されることになる。
【００１０】
また、グリップ部と、このグリップ部を把持した手の指先との間には、滑りが大幅に抑制されることによる「引っ掛かり」が発生するので、この「引っ掛かり」により、グリップ部に対して作用する手からの力が、無駄なく把持力として有効に作用する。
また、凹部の凹部側面に対する、指先のほぼ一定した滑り変位方向に対して、縦突条状の滑り止め突片が、略直交する姿勢で位置することになるので、滑り止め突片による指先に対する「引っ掛かり」作用が、より効果的に発揮されることになる。
さらに凹部の機械的強度を補強する補強リブを、滑り止め突片に邪魔されることなく成形することができ、この補強リブにより、滑り止め突片が形成されている凹部側面の、妄りな撓み変形の発生を、強力に抑制する。
【００１１】
請求項２記載の発明は、請求項１記載の発明の構成に、区画された各凹部の凹部底部に、小突部をそれぞれ形成した、ことを加えたものである。
【００１２】
この請求項２記載の発明にあっては、離型性を高めるためだけではなく、凹部の底部を補強し、さらには持ち易さを高める。
【００１３】
請求項３記載の発明は、請求項１または２記載の発明の構成に、凹部の上側の端面である凹部上端面を、凹部底面に対して略直角に形成した、ことを加えたものである。
【００１４】
この請求項３記載の発明にあっては、グリップ部を把持した手の親指および人差し指が下方から押付けられても、これを安定して支持し、手によるグリップ部の把持動作を、安定させることになる。
【発明の効果】
【００１５】
本発明は、上記した構成となっているので、以下に示す効果を奏する。
請求項１記載の発明にあっては、滑り止め突片により、グリップ部と、このグリップ部を把持する手の指先との間の滑り易さが、大幅に抑制されることになるので、把持動作を無理なく適正に行なうことができる。
【００１６】
また、グリップ部と、このグリップ部を把持した手の指先との間の「引っ掛かり」により、グリップ部に対して作用する手からの力を、無駄なく把持力として有効に作用させることができ、これにより強大な力を要することなく、大型のボトル型容器を、無理なく簡単に、かつ円滑に取扱うことができる。
また滑り止め突片による指先に対する「引っ掛かり」作用が、より効果的に発揮されることになるので、グリップ部に対する手からの力を、より有効に把持力として作用させることができ、その分、ボトル型容器の取扱いの容易さが高められることになる。
さらに滑り止め突片が形成されている凹部側面の、妄りな撓み変形の発生が、強力に抑制されるので、滑り止め突片に対する指先の「引っ掛かり」が確実にかつ安定して確保され、これによりグリップ部を把持してのボトル型容器の安定して良好な取扱いを得ることができる。
【００１７】
請求項２記載の発明にあっては、離型性を高めることができると共に、凹部の底部を補強し、さらには持ち易さを高めることができる。
【００１８】
請求項３記載の発明にあっては、グリップ部を把持した手による把持動作を、安定させることができる。
【発明を実施するための最良の形態】
【００１９】
以下、本発明の一実施形態を、図面を参照しながら説明する。
【００２０】
本発明による大型合成樹脂製２軸延伸ブロー成形品であるピンチグリップ式ボトル型容器は、下端に座機能を発揮する底部１４を連設した、有底筒状の胴部１の上端に、上方に縮径したテーパ−筒状の肩部１５を介して、外周面に螺条を刻設した円筒状の口筒部１７を連設した構造となっている。
【００２１】
底部１４および肩部１５との境界部分である上下両端部に補強周リブ１３を周設した胴部１は、その両側壁部分２のやや上側および後側箇所に、側方から対向した姿勢で縦長の一対の凹部３を陥没形成し、この両凹部３と、両凹部３の間に位置する背壁部分１０とにより、凹部３を指当て凹部としたグリップ部１２を形成している。
【００２２】
このグリップ部１２の周方向に沿った表面長さは、一方の凹部３に親指を位置させ、他方の凹部３に他の指を位置させての把持を可能とする必要があることから、手のひらの寸法に合わせて略一定した値に設定されることになる。
【００２３】
また、グリップ部１２は、このグリップ部１２を把持してのボトル型容器の取扱いが良好なものとなるように、なるべく胴部１の中央側に位置するのが有利となる。
【００２４】
このグリップ部１２における条件および要望を満たすべく、図示実施形態例にあっては、胴部１の背壁部分１０を陥没させた状態で位置させており、この背壁部分１０の陥没程度は、ボトル型容器の大きさに従って設定される。
【００２５】
凹部３の、グリップ部１２を把持した手の指先の腹が押付けられる、凹部側面４に設けられた滑り止め突片７（図２、図４そして図７参照）は、突出高さの低い縦突条状となって二本平行に設けられている。
【００２６】
これとは別に、各凹部３には、三つの補強リブ８（図２、図５参照）が、アーチ状に横断して設けられており、この三つの補強リブ８により、凹部３内を四つの区分に区画し、この区画により、凹部３内の各区分のいずれかに、一本の指の指先が安定して位置させると共に、凹部３の機械的強度を高めている。
【００２７】
このため、滑り止め突片７は、各補強リブ８で分断された状態となって、補強リブ８で区画された凹部３の各区分別に対応するものとなっている。
【００２８】
なお、滑り止め突片７は、グリップ部１２を把持した手の指先の腹が押付けられる凹部側面４部分であれば、何処に設けても良く、また図示実施例の構成に限定されることはなく、例えば一本だけもしくは、平行に三本以上を設けたものであっても良い。
【００２９】
また、補強リブ８で区画された凹部３の各区分の凹部底面５には、ブロー成形されたボトル容器のブロー金型からの離型性を高めるための小突部９が形成されているが、この小突部９は、離型性を高めるためだけではなく、凹部３の底部を補強し、さらには持ち易さを高めている。
【００３０】
さらに、凹部３の上側の端面である凹部上端面６（図３参照）は、略直角姿勢で立ち上がっており、これによりグリップ部１２を把持した手の親指および人差し指が下方から押付けられても、これを安定して支持し、手によるグリップ部１２の把持動作を、安定して維持させるようにしている。
【００３１】
背壁部分１０の内、グリップ部１２を構成する凹部３に対応する部分には、横リブ１１が設けられている。
【００３２】
また、この背壁部分１０（図３、図４、図６参照）は、その全体が平板状のまま、胴部１の略全高さ範囲に亘って陥没位置した構成となっていることにより、ボトル容器内に発生した減圧を、その湾曲陥没変形により吸収することができるようにしている。
【００３３】
なお、肩部１５に形成された正多角筒状のパネル壁部１６は、各平板壁部分が、湾曲陥没変形して、平板状の背壁部分１０と同様に、減圧吸収動作を行う。
【図面の簡単な説明】
【００３４】
【図１】本発明の一実施形態例を示す、全体正面図である。
【図２】図１に示した実施形態例の、全体側面図である。
【図３】図１に示した実施形態例の、一部不規則破断した全体背面面図である。
【図４】図２中、Ａ−Ａ線に沿って切断矢視した、全体平断面図である。
【図５】図２中、Ｂ−Ｂ線に沿って切断矢視した、全体平断面図である。
【図６】図２中、Ｃ−Ｃ線に沿って切断矢視した、全体平断面図である。
【図７】図４中、丸印した部分の拡大図である。
【符号の説明】
【００３５】
１  ；  胴部
２  ；  側壁部分
３  ；  凹部
４  ；  凹部側面
５  ；  凹部底面
６  ；  凹部上端面
７  ；  滑り止め突片
８  ；  補強リブ
９  ；  小突部
１０；  背壁部分
１１；  横リブ
１２；  グリップ部
１３；  補強周リブ
１４；  底部
１５；  肩部
１６；  パネル壁部
１７；  口筒部
Ｐ  ；  プリフォーム
【図１】
0004697633.tif 000002
【図２】
0004697633.tif 000003
【図３】
0004697633.tif 000004
【図４】
0004697633.tif 000005
【図５】
0004697633.tif 000006
【図６】
0004697633.tif 000007
【図７】
0004697633.tif 000008